(57)【要約】【課題】踏板部の奥行き寸法の変更など、踏板部を種々に設定変更することを可能とした梯子を提供する。【解決手段】梯子１は、複数の踏板部２、２、２と、各踏板部２、２、２の両側を支持、固定する側桁３、３とを有しており、踏板部２は、踏板補助材３０を奥行き方向５へ取り付け、取り外しできる取付部１５を有した踏板基材１０を少なくとも備えている。【選択図】図１
2014237969.tif 000002
【特許請求の範囲】
【請求項１】
複数の踏板部と、各踏板部の両側を支持、固定する側桁とを有した梯子において、
前記踏板部は、踏板補助材を奥行き方向へ取り付け、取り外しできる取付部を有した踏板基材を少なくとも備えていることを特徴とする梯子。
【請求項２】
請求項１において、
前記踏板基材の前記取付部は、前記踏板補助材をスライドさせて取り付けされる構造とされ、
前記踏板補助材が前記踏板基材に取り付けされた状態で前記側桁間に固定されると、前記側桁によって前記踏板補助材のスライド移動による取り外しが禁止される構造となっていることを特徴とする梯子。
【請求項３】
請求項１または２において、
前記踏板補助材には、照明灯が取り付けられていることを特徴とする梯子。
【請求項４】
請求項１〜３のいずれか１項において、
前記踏板基材は、奥行き方向の前後を入れ替えて使用し得ることを特徴とする梯子。
【請求項５】
請求項１〜３のいずれか１項において、
前記踏板基材は角柱体とされ、該角柱体の複数の側面のうちの１側面を選択的に踏板面として使用し得ることを特徴とする梯子。
【発明の詳細な説明】
【技術分野】
【０００１】
本発明は梯子に関する。
【背景技術】
【０００２】
梯子としては、屋内外で持ち運び自在に使用されるものにかぎらず、屋根裏部屋の昇降に使用される収納式のものなど、特定箇所で用途を限定して使用されることを目的としたものがある（たとえば、特許文献１参照）。
【０００３】
このような種々の梯子は、より小さな平面空間で使用できるように、一般的な階段よりも急勾配となっており、通例では、そのような傾斜形状に合わせて、踏板部の奥行き方向の寸法も階段よりも小さいものとなっている。
【０００４】
特に、天井収納式の梯子は特定の収納空間に収納自在とした構成であり、そのような収納空間や使用される空間の大きさを考慮した、コンパクトなものとなっている。よって、天井収納式の梯子は、屋内階段と同様の目的で使用されるにもかかわらず、一般的に踏板部の奥行き方向の寸法は小さい。
【０００５】
一方、梯子の昇降の際の安全性、安定性を考慮した場合、踏板部の奥行き寸法は当然に大きいほうが好ましい。
【先行技術文献】
【特許文献】
【０００６】
【特許文献１】実用新案登録第３１７３５０１号公報
【発明の概要】
【発明が解決しようとする課題】
【０００７】
このように、梯子の踏板部は、その梯子が使用される状況や設置される状況などによって種々の奥行き寸法のものが求められている。このような種々の状況に応じて踏板部の奥行き寸法を設定変更できる梯子が望まれているが、そのように簡易に設定変更ができる梯子は従来には提案されていない。
【０００８】
本発明は、このような事情を考慮して提案されたもので、その目的は、踏板部の奥行き寸法の変更など、踏板部を種々に設定変更することを可能とした梯子を提供することにある。なお、踏板部の設定変更としては照明機能の付加なども含まれる。
【課題を解決するための手段】
【０００９】
上記目的を達成するために、本発明の梯子は、複数の踏板部と、各踏板部の両側を支持、固定する側桁とを有した梯子において、踏板部は、踏板補助材を奥行き方向へ取り付け、取り外しできる取付部を有した踏板基材を少なくとも備えていることを特徴とする。
【００１０】
また、本発明においては、踏板基材の取付部は、踏板補助材をスライドさせて取り付けされる構造とされ、踏板補助材が踏板基材に取り付けされた状態で側桁間に固定されると、側桁によって踏板補助材のスライド移動による取り外しが禁止される構造としてもよい。
【００１１】
さらに、本発明においては、踏板補助材に照明灯が取り付けられている構成としてもよい。
【００１２】
またさらに、踏板基材は奥行き方向の前後を入れ替えて使用し得る構成としてもよい。
【００１３】
また、踏板基材は角柱体とされ、該角柱体の複数の側面のうちの１側面を選択的に踏板面として使用し得る構成としてもよい。
【発明の効果】
【００１４】
本発明の梯子によれば、上述の構成となっているため、踏板部の奥行き寸法の変更など、踏板部を種々に設定変更することができる。これにより、梯子の使用される状況に応じて、個別に製造する必要がなく、設定変更が容易にできる梯子を提供できる。
【図面の簡単な説明】
【００１５】
【図１】（ａ）は本発明の一実施形態に係る梯子の一部を省略した斜視図、（ｂ）は（ａ）のＸ部分の拡大斜視図である。
【図２】（ａ）は図１に示した梯子に用いられる踏板基材の側面図、（ｂ）は踏板補助材の側面図、（ｃ）は踏板部の側面図、（ｄ）は踏板補助材の他例を用いた踏板部を示す側面図である。
【図３】本発明の他の実施形態に係る梯子の説明図であり、（ａ）は踏板基材の側面図、（ｂ）は踏板補助材の側面図、（ｃ）は踏板部の一部を省略した斜視図である。
【発明を実施するための形態】
【００１６】
以下に、本発明の実施の形態について、添付図面を参照して説明する。
【００１７】
図１は、本発明の一実施形態に係る梯子の説明図であり、図１（ａ）は梯子の一部を省略した斜視図、図１（ｂ）は図１（ａ）の１点鎖線で囲んだＸ部分の拡大斜視図である。
【００１８】
この梯子１は、屋根裏部屋（不図示）の昇降に使用されるものであり、屋根裏部屋の入口などに取り付けられて出し入れ自在に使用される。梯子１は、等間隔に配された複数の踏板部２、２、２と、各踏板部２の両側を支持、固定する側桁３、３とを有してなる。
【００１９】
図１（ａ）に示した踏板部２は、梯子１の前方（昇降面）側に配される踏板基材１０と、後方側に配される踏板補助材２０とを合体してなる。この２部材は側桁３、３間に固定する前において結合、分離が可能とされる。これら２部材については図２を参照して後述する。
【００２０】
これらの複数の踏板部２、２、２は等間隔に配されて、両側を側桁３、３で固定されている（図１（ａ）参照）。
【００２１】
図１（ｂ）に示したように、側桁３は、金属または合成樹脂などの板材よりなる外側が開口した溝状体であり、溝底部３ａと、溝底部３ａより起立した両壁部３ｂ、３ｂと、壁部３ｂ、３ｂの端部より開口を狭めるように延びた両開口片部３ｃ、３ｃとよりなる。側桁３は、溝底部３ａを踏板部２の側端面にねじ止めすることで踏板部２と結合される。側桁３は、ねじ９、９を、踏板部２に設けたビスホール１８、１８に対して溝底部３ａを介してねじ込むことで取り付けられる。
【００２２】
ついで、踏板部２の詳細構造について図２を参照して説明する。
【００２３】
踏板部２は、図２（ａ）に示した踏板基材１０と、図２（ｂ）に示した踏板補助材２０とを結合してなる。いずれの部材も、金属または合成樹脂などの板材よりなる。
【００２４】
踏板基材１０は、両端が開口した四角筒体よりなる。筒体の４つの側面（側板部１３、１３、・・・）のうち、図中上部に配された側板部１３が踏板面部１２とされる。奥行き方向５の後方５ａ側に配された側板部１３の上部２箇所には、踏板補助材２０を取り付けるための２つの取付溝１５ａ、１５ａよりなる取付部１５が形成されている。
【００２５】
また、踏板基材１０の上下の側板部１３、１３のそれぞれの内面には、一方の開口端部より他方の開口端部まで延びるビスホール１８、１８が突出形成されている。なお、踏板基材１０を押出成形にて成形したものでは、開口端部から他の開口端部まで途切れなく延びるビスホール１８、１８を形成することが望ましいが、折曲加工して形成する場合には、側桁３を固定するねじ９、９を螺入できる程度の深さ寸法のビスホール１８、１８を後付けしてもよい。
【００２６】
一方、踏板補助材２０は、踏板基材１０の奥行き方向５の後方５ａ側に取り付け、取り外しできる、底部を鋭角状に形成した、上片２１および下片２２よりなる溝体よりなる。溝体の溝開口２３の上下に位置する上片２１の端部および下片２２の端部には、踏板基材２０の取付溝１５ａ、１５ａ（取付部１５）に対してスライド係合により取り付けできる取付突条２５ａ、２５ａが形成されている。それら取付突条２５ａ、２５ａが踏板補助材２０の取付部２５を構成する。
【００２７】
取付突条２５ａ、２５ａと取付溝１５ａ、１５ａとは相互に係合してスライド移動できる形状であればどのような形状であってもよい。本実施形態の図例のように、取付溝１５ａ、１５ａの溝開口を狭めて、溝内に挿入された取付突条２５ａ、２５ａが、スライド以外では取り外しできないような構造とすることが望ましい。特に、下方側の取付突条２５ａのように、その取付突条２５ａに平行に突片２５ｂを設けて、それら２片で取付溝１５ａの開口片１５ｂを挟み込むように係合する構造とすれば、両部材の結合をより強固にできる。
【００２８】
踏板基材１０に踏板補助材２０を取り付けると、踏板補助材２０の上片２１の上面は、踏板基材１０の踏板面部１２の奥行き方向５の後方５ａの延長上に、踏板面部１２と同一の平面として配置される。つまり、踏板補助材２０によって踏板面が奥行き後方に拡張される。
【００２９】
踏板基材１０に踏板補助材２０を取り付けた後、両側桁３、３（図１参照）を固定すると、取付部１５の取付溝１５ａ、１５ａのスライド開口１１、１１が側桁３、３によって塞がれる。そのため、このような固定状態では、踏板補助材２０のスライド操作による取り外しは禁止される。このように、踏板補助材２０をいったん取り付けて梯子１を形成すれば、踏板補助材２０が踏板基材１０より外れたり、ずれたりするおそれはなく、昇降の際の安全性がより高められる。
【００３０】
また、踏板基材１０には、利用形態に応じて、奥行き寸法の異なる踏板補助材２０を取り付けることができる。たとえば、図２（ｄ）に示した奥行き寸法の大きい踏板補助材２０を取り付けるようにしてもよい。
【００３１】
このような踏板補助材２０は、踏板基材１０の取付部１５（取付溝１５ａ、１５ａ）の形状に合致する取付部２５（取付突条２５ａ、２５ａ）を備えていれば、どのような形状、寸法であってもよい。なお、図２（ｃ）のものは踏板部２全体の奥行き寸法が１２０ｍｍ、図２（ｄ）のものは踏板部２全体の奥行き寸法が１５０ｍｍとなっている。
【００３２】
以上のように、本実施形態の梯子１は、複数の踏板部２、２、２と、各踏板部２、２、２の両側を支持、固定する側桁３、３とを有している。そして、この踏板部２は、踏板補助材２０を奥行き方向５へ取り付け、取り外しできる取付部１５を有した踏板基材１０を少なくとも備えている。
【００３３】
また、上述したように、踏板基材１０の取付部１５は、踏板補助材２０をスライドさせて取り付けされる構造とすることが好ましい。そして、踏板補助材２０が踏板基材１０に取り付けされた状態で側桁３、３間に固定されると、側桁３、３によって踏板補助材２０のスライド移動による取り外しが禁止される構造とすることが好ましい。
【００３４】
本実施形態の梯子１は踏板基材１０に踏板補助材２０を付加することにより、踏板面を同一平面上に拡大できるため、昇降の際の足場の安全をより確実にできる。また、踏板補助材２０の踏板基材１０への取り付けは、踏板補助材２０の取付部２５を踏板基材１０の取付部１５へスライド装着することでできるため、簡易に組み立てることができ、取り付け、取り外しによる梯子１の設定変更を迅速に行える。
【００３５】
また、踏板部２を踏板基材１０のみで構成したものでは、梯子１の厚みを薄く構成することができ、使用の際や屋根裏部屋への収容の際の利便性をよくすることができる。
【００３６】
このように本梯子１によれば、梯子１の使用される状況（施工対象）や施工主の種々の要望に応じた設定変更をすることができ、個別に寸法変更などをする必要がなく、利便性がきわめて高いものとなり得る。また、取付場所に応じて、踏板基材１０と踏板補助材２０との組み合わせを予め決めておけばよいので、現場での作業を迅速に行える。
【００３７】
踏板補助材２０を付加しない利用を考慮すれば、図例のように、踏板基材１０の取付部１５を、外方に突出せずじゃまにならない取付溝１５ａ、１５ａで構成することが望ましい。もちろん、踏板基材１０に取付突条を設け、踏板補助材２０に取付を設けた構成としてもよい。
【００３８】
上記実施形態の梯子１は、踏板補助材２０を踏板基材１０の奥行き方向５（図１（ａ）参照）の後方５ａに取り付けできる構成としたが、前方５ｂに取り付けできる構成としてもよい。踏板補助材２０を前方５ｂに取り付ける場合には、踏板基材１０の前方に取付部１５を設ければよい。
【００３９】
図３は、本発明の他の実施形態に係る梯子の説明図であり、図３（ａ）は踏板基材の側面図、図３（ｂ）は踏板補助材の分解側面図、図３（ｃ）は踏板部の一部を省略した斜視図である。
【００４０】
本実施形態の梯子１は、図１のものと同様に、複数の踏板部２、２、２と、各踏板部２、２、２の両側を支持、固定する側桁３、３とを有している（図１および図３参照）。そして図１の梯子１と同様に、踏板部２は、踏板補助材２０を奥行き方向へ取り付け、取り外しできる取付部１５を有した踏板基材１０を少なくとも備えている。特に本実施形態の梯子１は、踏板部２の構成部材である踏板基材１０の前方５ｂ（図１参照）に踏板補助材２０を取り付け可能とした構成となっている。
【００４１】
この梯子１に使用される踏板基材１０は、図１に示した踏板基材１０と同一のものであり、奥行き方向５の前後を入れ替えて使用されるようになっている。つまり、踏板基材１０は、図１の例で踏板面部１２として採用された側板部１３を、図１の例と同様に踏板面部１２として配したうえで、取付部１５を有した側板部１３を奥行き方向５の前方５ｂ側に配した状態で使用される。
【００４２】
なお、側桁３の構造および複数の踏板部２を等間隔に側桁３で固定する構成については図１のものと同様であるため、その図示と説明を省略する。また、踏板基材１０の各部については、図１のものと同一であるため、その説明は省略する。
【００４３】
踏板補助材２０は、踏板基材１０の前方に取り付け、取り外しできる、上片２１、下片２２および３つの側面（側板部２４、２４、２４）で構成された五角筒体よりなる。
【００４４】
踏板補助材２０の踏板基材１０に相対する側板部の上部と中央部には、踏板基材１０の取付溝１５ａ、１５ａに対してスライド係合により取り付けできる取付突条２５ａ、２５ａが形成されている。それら取付突条２５ａ、２５ａが踏板補助材２０の取付部２５を構成する。
【００４５】
また、踏板補助材２０の奥行き方向５の前方５ｂ側の斜め下方を向いた側板部２４には複数の窓開口２６、２６、・・・が形成され、それら窓開口２６、２６、・・・のそれぞれには外部を照らすＬＥＤ２７、２７、・・・が配されている（図３（ｂ）、（ｃ）参照）。これらのＬＥＤ２７、２７、・・・は、踏板補助材２０の筒内および側桁３の溝内に配した電気線（不図示）を通じて、電源部（不図示）より電気供給を受けるようになっている。なお、ＬＥＤに代えて豆電球などの照明灯を用いてもよい。
【００４６】
このように、梯子１は、踏板基材１０の奥行き方向５に取り付ける踏板補助材２０にＬＥＤ２７、２７、・・・などの照明灯が取り付けられた構成としてもよい。
【００４７】
複数のＬＥＤ２７、２７、・・・を設けた構成によれば、ＬＥＤ２７、２７、・・・を取り付けた踏板部２よりも下方に位置する踏板部２を照らすことができ（図１（ａ）参照）、昇降の際（特に降りる場合）の安全性を確保できる。ＬＥＤ２７、２７、・・・は、図３（ｂ）の２点鎖線で示すように、踏板補助材２０の前方側の斜め下方を向く側板部２４に設けてもよい。なお、踏板部２の各々について１以上のＬＥＤ２７を設ければよい。また、複数の踏板部２のうちの特定の踏板部２にＬＥＤ２７を設ける構成としてもよい。
【００４８】
また、踏板補助材２０の上片部２１は、踏板補助材２０を踏板基材１０に取り付けることで踏板基材１０の踏板面部１２と同一平面上に配せられ、それによって踏板面が前方にわずかに拡大する。
【００４９】
このように、本実施形態の梯子１は踏板基材１０に踏板補助材２０を付加することにより、踏板面を同一平面上に拡大でき、さらにＬＥＤ２７、２７、・・・による足元の照明機能も付加でき、安全性をさらに強化できる。
【００５０】
また、踏板基材１０は、上記２実施形態のように、奥行き方向５の向きを変えて２通りに使用できるようにした構成であるため、踏板面を、前または後ろの所望の方向に拡張することができるし、前または後ろの所望の方向に種々の機能を設定することができる。
【００５１】
以上の２実施形態の梯子１は、同一形状の踏板基材１０を用いて、その前後を入れ替えて使用したものであるが、四角筒体の複数の側面（側板部１３、・・・）の中から選択的に１つの側面を踏板面部１２として利用できる構成としてもよい。
【００５２】
また、踏板補助材２０としては、踏板面を拡大できるものにかぎられず、他の種々の機能を有したものでもよい。たとえば、小物収納として利用できる踏板補助材２０を、踏板基材１０の奥行き方向５の後方５ａの斜め下方側に取り付けるようにしてもよい。
【００５３】
以上に示した踏板基材１０は角筒体のものを例示したが、中実の角柱体であってもよい。踏板補助材２０についても同様に角筒体のものに限られず、中実の角柱体であってもよい。また、踏板基材１０、踏板補助材２０の各取付部１５、２５についても、例示したものに限定されず種々の構造の取付部を採用できることはいうまでもない。
【００５４】
また、以上の２実施形態の例では、踏板基材１０に対する踏板補助材２０の取り付け、取り外しをスライド操作により行うものを示したが、奥行き方向５の相対する方向より一方を押圧することで取付部を他方の取付部に嵌め入れできる構造としてもよい。
【００５５】
なお、上述した梯子１の構成は、屋根裏部屋の昇降に使用されるものへの適用にかぎられず、種々の梯子への適用が可能なことはいうまでもない。
【符号の説明】
【００５６】
１          梯子
２          踏板部
３          側桁
５          奥行き方向
１０        踏板基材
１５        取付部
２０        踏板補助材
２７        ＬＥＤ
【図１】
2014237969.tif 000003
【図２】
2014237969.tif 000004
【図３】
2014237969.tif 000005